(57)【要約】【課題】記録する画像の濃度分布などにより生じる濃度ムラの影響を抑制することができ、特に、記録する画像の濃度変動が大きい場合においても濃度ムラの発生を十分に抑制し、高画質な画像を記録することができる感熱記録方法および感熱記録装置を提供する。【解決手段】本発明の画像記録方法は、押圧手段を用いてサーマルヘッドを記録媒体に押圧しつつ、サーマルヘッドの記録素子の配列方向と直交する方向に記録媒体を所定の搬送速度で搬送しながら、１ライン毎に所定の記録速度で画像の記録を行うものであり、記録する画像の濃度を解析する工程と、記録する画像の濃度に基づいて、１ライン毎に記録する画像の記録の記録速度を調整する工程とを有する。【選択図】図１
2007152709.tif 000002
【特許請求の範囲】
【請求項１】
押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録速度で画像の記録を行う感熱記録方法であって、
記録する画像の濃度を解析する工程と、
前記記録する画像の濃度に基づいて、前記１ライン毎に記録する前記画像の記録の記録速度を調整する工程とを有することを特徴とする感熱記録方法。
【請求項２】
前記画像の記録の記録速度を調整する工程は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録速度を所定の値よりも遅く設定し、前記濃度差が所定の値よりも大きく、かつ２ラインのうち、先に記録する第１のラインの濃度の方が低い場合には、次に記録する第２のラインの記録速度を所定の値よりも速く設定する請求項１に記載の感熱記録方法。
【請求項３】
押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録時間で画像の記録を行う感熱記録方法であって、
記録する画像の濃度を解析する工程と、
前記記録する画像の濃度に基づいて、前記１ライン毎に記録する前記画像の記録の記録時間を調整する工程とを有することを特徴とする感熱記録方法。
【請求項４】
前記画像の記録の記録時間を調整する工程は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録時間を所定の値よりも短く設定し、前記濃度差が所定の値よりも大きく、かつ２ラインのうち、先に記録する第１のラインの濃度の方が低い場合には、次に記録する第２のラインの記録時間を所定の値よりも長く設定する請求項３に記載の感熱記録方法。
【請求項５】
押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録速度で画像の記録を行う感熱記録装置であって、
記録する画像の濃度を解析し、前記記録する画像の濃度に基づいて、前記１ライン毎に記録する前記画像の記録の記録速度を調整する制御部を有することを特徴とする感熱記録装置。
【請求項６】
前記制御部は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録速度を所定の値よりも遅く設定し、前記２ラインの画素濃度の濃度差が所定の値よりも大きく、かつ２ラインのうち、前記濃度差が所定の値よりも大きく、かつ２ラインのうち、先に記録する第１のラインの濃度の方が低い場合には、次に記録する第２のラインの記録速度を所定の値よりも速く設定するものである請求項５に記載の感熱記録装置。
【請求項７】
押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録時間で画像の記録を行う感熱記録装置であって、
記録する画像の濃度を解析し、前記記録する画像の濃度に基づいて、前記１ライン毎に記録する前記画像の記録の記録時間を調整する制御部を有することを特徴とする感熱記録装置。
【請求項８】
前記制御部は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録時間を所定の値よりも短く設定し、前記濃度差が所定の値よりも大きく、かつ２ラインのうち、先に記録する第１のラインの濃度の方が低い場合には、次に記録する第２のラインの記録時間を所定の値よりも長く設定するものである請求項７に記載の感熱記録装置。
【発明の詳細な説明】
【技術分野】
【０００１】
本発明は、サーマルヘッドを用いて感熱記録材料に感熱記録を行う感熱記録方法および感熱記録装置に関し、特に、記録する画像の絵柄などによる濃度分布で生じる濃度ムラの影響を抑制する感熱記録方法および感熱記録装置に関する。
【背景技術】
【０００２】
従来、例えば、超音波診断画像の記録に、フィルムまたは紙等の支持体の片面に感熱記録層を形成した感熱記録材料（以下、感熱材料という）を用いる感熱記録装置が利用されている。感熱記録装置は湿式の現像処理が不要であり、取り扱いが簡単である等の利点を有することから、近年では、超音波診断のような小型の画像記録のみならず、ＣＴ診断、ＭＲＩ診断またはＸ線診断等の大型かつ高画質な画像が要求される用途において、医療診断のための画像記録への利用も検討されている。
【０００３】
感熱記録装置は、感熱材料の感熱記録層を加熱して画像を記録する、発熱抵抗素子が一方向に配列されてなるグレーズを有するサーマルヘッドを用いる。この感熱記録装置では、例えば、プラテンローラでサーマルヘッドに感熱材料を押圧して、プラテンローラを回転させることにより、グレーズ（発熱抵抗素子）を感熱材料（感熱記録層）に若干押圧した状態で、両者をグレーズの延在方向と直交する方向に相対的に移動させつつ、グレーズの各発熱素子にエネルギーを印加して、記録画像に応じて感熱材料の感熱記録層を像様に加熱して画像記録を行うものである。
【０００４】
また、従来から感熱記録装置において、透明なポリエチレンテレフタレート（ＰＥＴ）フィルムなどのフィルムまたは紙等を支持体として、その一面に感熱記録層を形成して成るものが医療診断用の画像記録等の感熱材料として用いられる。このような感熱材料を使用して上述の感熱記録を行う場合、画像記録時に加熱された感熱材料の表面が溶融する。
感熱記録装置による画像記録により生じる感熱材料の溶融は、必ずしも一定ではなく、画像の濃度によるサーマルヘッドの温度により変動する。
このため、図３に示すように、感熱材料１００にパターン画像１０２を記録する場合、感熱材料１００は、搬送方向Ｄに一定速度で搬送される。パターン画像１０２は、全体が長方形状の開口部１０６を有する枠１０４（斜線部）である。この枠１０４の部分は黒であり、その開口部１０６は、白である。枠１０４は、開口部１０６よりも濃度が高く、濃度差が大きい。
感熱材料１００にパターン画像１０２を記録する場合、感熱材料１００の搬送中に、サーマルヘッドが感熱材料に押圧されつつ、各発熱抵抗素子が、画像データに応じた通電時間で駆動され、記録方向Ｒ（ラインｄ１からラインｄ４）に画像を１ラインずつ記録する。
【０００５】
ラインｄ１からラインｄ２までは、黒の画素が多い高濃度ラインの領域である。ラインｄ２からラインｄ３までは、白の画素が多い低濃度ラインの領域である。ラインｄ３からラインｄ４までは高濃度ラインの領域である。
【０００６】
ここで、図４（ａ）は、縦軸に画像濃度をとり、横軸に画像位置をとって、図３に示すＸ１−Ｘ１線における画像濃度分布を示すグラフであり、図４（ｂ）は、縦軸に画像濃度をとり、横軸に画像位置をとって、図３に示すＸ２−Ｘ２線における画像濃度分布を示すグラフである。
【０００７】
図４（ａ）において、図３に示すＸ１−Ｘ１線上における画像の濃度を忠実に再現している。なお、図４（ａ）において、濃度が高い部分が枠１０４に相当し、濃度が低い部分が開口部１０６に相当するものである。
一方、図４（ｂ）に示すように、Ｘ２−Ｘ２線上においては、本来は一様であるはずの濃度が、ラインｄ２の付近の領域αでは、本来の濃度よりも高くなり、線状の濃度ムラが発生している。また、ラインｄ３の付近の領域βでは、本来の濃度よりも低くなり、線状の濃度ムラが発生している。
【０００８】
図４（ｂ）に示す線状の濃度ムラは、サーマルヘッドと感熱記録紙との摩擦抵抗に起因するものである。すなわち、感熱記録紙の表面には、樹脂の保護層が設けられているが、サーマルヘッドに対する保護層の摩擦係数は、サーマルヘッドの平均温度によって変わる。例えば、黒の画素が多い高濃度ラインの領域から、白の画素が多い低濃度ラインの領域に移行すると、サーマルヘッドの平均温度が低くなるため、摩擦抵抗が急に大きくなる。このために、感熱記録紙の搬送ピッチの幅が一時的に狭くなり、周囲よりも濃度が高い線状の濃度ムラが発生する。
他方、白の画素が多い低濃度ラインの領域から、黒の画素が多い高濃度ラインの領域に移行すると、摩擦抵抗が急に小さくなるため、感熱記録紙の搬送ピッチの幅が一時的に広くなり、周囲よりも濃度が低い線状の濃度ムラが発生する。このように画像の濃度変動が大きい箇所において、濃度ムラが生じることが知られている。この濃度ムラの発生を抑制するための感熱記録装置（感熱プリンタ）が種々提案されている（特許文献１参照）。
【０００９】
特許文献１に開示された感熱プリンタにおいては、各ライン毎にサーマルヘッドにかかる摩擦負荷を算出し、前ラインとの差から負荷変動量を求める。そして、高濃度ライン領域から低濃度ライン領域に移行する際に、濃度が急激に高くならないように、画像データから得られた印画エネルギーが本来よりも小さい値に変換され、まわりの濃度よりも高い線状の濃度ムラの発生を抑える。また、低濃度ライン領域から高濃度ライン領域に移行する際には、濃度が急激に低くならないように、印画エネルギーが本来よりも大きな値に変換され、まわりの濃度よりも低い線状の濃度ムラの発生を抑えるものである。
【００１０】
【特許文献１】特開２００２−６７３７０号公報
【発明の開示】
【発明が解決しようとする課題】
【００１１】
しかしながら、特許文献１においては、濃度ムラが生じないようにするために、印画エネルギーそのものを調整しているものの、記録する画像の濃度変動が大きい場合において、搬送量と記録長さとの差異による濃度ムラの抑制が十分ではないという問題点がある。
【００１２】
本発明の目的は、前記従来技術に基づく問題点を解消し、記録する画像の濃度分布などにより生じる濃度ムラの影響を抑制することができ、特に、記録する画像の濃度変動が大きい場合においても濃度ムラの発生を十分に抑制し、高画質な画像を記録することができる感熱記録方法および感熱記録装置を提供することにある。
【課題を解決するための手段】
【００１３】
上述した目的を達成するために、本発明の第１の態様は、押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録速度で画像の記録を行う感熱記録方法であって、記録する画像の濃度を解析する工程と、前記記録する画像の濃度に基づいて、前記１ライン毎に記録する前記画像の記録の記録速度を調整する工程とを有することを特徴とする感熱記録方法を提供するものである。
【００１４】
本発明においては、前記画像の記録の記録速度を調整する工程は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録速度を所定の値よりも遅く設定し、前記濃度差が所定の値よりも大きく、かつ２ラインのうち、先に記録する第１のラインの濃度の方が低い場合には、次に記録する第２のラインの記録速度を所定の値よりも速く設定することが好ましい。
【００１５】
また、本発明の第２の態様は、押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録時間で画像の記録を行う感熱記録方法であって、記録する画像の濃度を解析する工程と、前記記録する画像の濃度に基づいて、前記１ライン毎に記録する前記画像の記録の記録時間を調整する工程とを有することを特徴とする感熱記録方法を提供するものである。
【００１６】
本発明においては、前記画像の記録の記録時間を調整する工程は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録時間を所定の値よりも短く設定し、前記濃度差が所定の値よりも大きく、かつ２ラインのうち、先に記録する第１のラインの濃度の方が低い場合には、次に記録する第２のラインの記録時間を所定の値よりも長く設定することが好ましい。
【００１７】
さらに、本発明の第３の態様は、押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録速度で画像の記録を行う感熱記録装置であって、記録する画像の濃度を解析し、前記記録する画像の濃度に基づいて、前記１ライン毎に記録する前記画像の記録の記録速度を調整する制御部を有することを特徴とする感熱記録装置を提供するものである。
【００１８】
本発明においては、前記制御部は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録速度を所定の値よりも遅く設定し、前記２ラインの画素濃度の濃度差が所定の値よりも大きく、かつ２ラインのうち、前記濃度差が所定の値よりも大きく、かつ２ラインのうち、先に記録する第１のラインの濃度の方が低い場合には、次に記録する第２のラインの記録速度を所定の値よりも速く設定するものであることが好ましい。
【００１９】
さらにまた、本発明の第４の態様は、押圧手段を用いてサーマルヘッドを記録媒体に押圧しつつ、前記サーマルヘッドの記録素子の配列方向と直交する方向に前記記録媒体を所定の搬送速度で搬送しながら、１ライン毎に所定の記録時間で画像の記録を行う感熱記録装置であって、記録する画像の濃度を解析し、前記記録する画像の濃度に基づいて、前記１ライン毎に記録する前記画像の記録の記録時間を調整する制御部を有することを特徴とする感熱記録装置を提供するものである。
【００２０】
本発明においては、前記制御部は、少なくとも２ラインについて、画素濃度を比較し、前記２ラインの画素濃度の濃度差が所定の値よりも大きく、かつ２ラインのうち、先に記録する第１のラインの濃度の方が高い場合には、次に記録する第２のラインの記録時間を所定の値よりも短く設定し、前記濃度差が所定の値よりも大きく、かつ２ラインのうち、先に記録する第１のラインの濃度の方が低い場合には、次に記録する第２のラインの記録時間を所定の値よりも長く設定するものであることが好ましい。
【発明の効果】
【００２１】
本発明の第１の態様の感熱記録方法によれば、記録する画像の濃度を解析する工程と、この記録する画像の濃度に基づいて、１ライン毎に記録する画像記録の記録時間を調整する工程とを有することにより、搬送量と記録長さとの差異を小さくすることができるため、記録する画像の濃度分布などにより生じる画像記録時の感熱材料表面の溶融の変動等に起因して発生する感熱材料の搬送量の変動による影響を抑制することができる。これにより、正確な記録画像ができる。このため、記録する画像の濃度分布などにより生じる濃度ムラの影響を抑制することができ、特に、記録する画像の濃度変動が大きい場合においても濃度ムラの発生を十分に抑制し、高画質な画像を記録することができる。
【００２２】
また、本発明の第２の態様の感熱記録方法によれば、記録する画像の濃度を解析する工程と、この記録する画像の濃度に基づいて、１ライン毎に記録する画像記録の記録時間を調整する工程とを有することにより、搬送量と記録長さとの差異を小さくすることができるため、記録する画像の濃度分布などにより生じる画像記録時の感熱材料表面の溶融の変動等に起因して発生する感熱材料の搬送量の変動による影響を抑制することができる。これにより、正確な記録画像ができる。このため、記録する画像の濃度分布などにより生じる濃度ムラの影響を抑制することができ、特に、記録する画像の濃度変動が大きい場合においても濃度ムラの発生を十分に抑制し、高画質な画像を記録することができる。
【００２３】
また、本発明の第３の態様の感熱記録装置によれば、記録する画像の濃度を解析し、この記録する画像の濃度に基づいて、１ライン毎に記録する画像の記録の記録速度を調整する制御部を設けることにより、搬送量と記録長さとの差異を小さくすることができるため、記録する画像の濃度分布などにより生じる画像記録時の感熱材料表面の溶融の変動等に起因して発生する感熱材料の搬送量の変動による影響を抑制することができる。これにより、正確な記録画像ができる。このため、記録する画像の濃度分布などにより生じる濃度ムラの影響を抑制することができ、特に、記録する画像の濃度変動が大きい場合においても濃度ムラの発生を十分に抑制し、高画質な画像を記録することができる。
【００２４】
また、本発明の第４の態様の感熱記録装置によれば、記録する画像の濃度を解析し、この記録する画像の濃度に基づいて、１ライン毎に記録する画像の記録の記録時間を調整する制御部を設けることにより、搬送量と記録長さとの差異を小さくすることができるため、記録する画像の濃度分布などにより生じる画像記録時の感熱材料表面の溶融の変動等に起因して発生する感熱材料の搬送量の変動による影響を抑制することができる。これにより、正確な記録画像ができる。このため、記録する画像の濃度分布などにより生じる濃度ムラの影響を抑制することができ、特に、記録する画像の濃度変動が大きい場合においても濃度ムラの発生を十分に抑制し、高画質な画像を記録することができる。
【発明を実施するための最良の形態】
【００２５】
以下に、添付の図面に示す好適実施形態に基づいて、本発明の感熱記録方法および感熱記録装置を詳細に説明する。
図１は、本発明の感熱記録装置の一実施形態を示す模式的断面図である。また、図２は、本発明の感熱記録装置の記録部を示す模式図である。
【００２６】
図１に示す感熱記録装置１０（以下、記録装置１０という）は、例えば、Ｂ４サイズ等の所定のサイズのカットシートである感熱材料Ａに感熱記録を行うものであり、感熱材料Ａが収容されたマガジン２４が装填される装填部１４、供給搬送部１６、サーマルヘッド６６によって感熱材料Ａに感熱記録を行う記録部２０、排出部２２および画像処理部９０を有する。
また、記録装置１０は、制御系として、記録速度制御部９２、プラテンローラ制御部９４および全体制御部９６を備えるものである。これらの記録速度制御部９２、プラテンローラ制御部９４および全体制御部９６により、本発明の制御部が構成される。
【００２７】
このような記録装置１０においては、供給搬送部１６によって記録部２０まで感熱材料Ａを搬送して、サーマルヘッド６６を感熱材料Ａに押圧しつつ、グレーズ６６ａの長手方向に感熱材料Ａを搬送して、記録画像に応じて各発熱素子を加熱することにより、感熱材料Ａに感熱記録を行う。
【００２８】
感熱材料Ａは、透明なポリエチレンテレフタレート（ＰＥＴ）フィルムなどのフィルムまたは紙等を支持体として、その一面に感熱記録層を形成して成るものである。このような感熱材料Ａは、通常、１００枚等の所定単位の積層体（束）とされて装体または帯等で包装されており、本実施例においては、所定単位の束のまま感熱記録層を下面として記録装置１０のマガジン２４に収納され、一枚づつマガジン２４から取り出されて感熱記録に供される。
【００２９】
マガジン２４は、開閉自在な蓋体２６を有する筐体であり、感熱材料Ａを収納して記録装置１０の装填部１４に装填される。装填部１４は、記録装置１０のハウジング２８に形成された挿入口３０、案内板３２および案内ロール３４,３４、停止部材３６を有している。また、マガジン２４は、蓋体２６側を先にして挿入口３０から記録装置１０内に挿入され、案内板３２および案内ロール３４に案内されつつ、停止部材３６に当接する位置まで押し込まれることにより、記録装置１０の所定の位置に装填される。
【００３０】
供給搬送手段１６は、装填部１４に装填されたマガジン２４から感熱材料Ａを取り出して、記録部２０に搬送するものであり、吸引によって感熱材料Ａを吸着する吸盤４０を用いる枚葉機構、搬送手段４２、搬送ガイド４４、および搬送ガイド４４の出口に位置する規制ローラ対５２を有する。
【００３１】
搬送手段４２は、搬送ローラ４６と同軸プーリ４７ａ、回転駆動源に接続されるプーリ４６ｂならびにテンションプーリ４７ｃと、この３つのプーリに張架されるエンドレスベルト４８と、搬送ローラ４６に押圧されるニップローラ５０とを有し、吸盤４０によって枚葉された感熱材料Ａの先端を搬送ローラ４６とニップローラ５０とによって挟持して、感熱材料Ａを搬送する。
なお、搬送ガイド４４によって規定される搬送手段４２から規制ローラ対５２に至るまでの距離は、感熱材料Ａの搬送方向の長さより若干短く設定されている。
【００３２】
図２に示すように、記録部２０は、サーマルヘッド６６、プラテンローラ６０、クリーニングローラ対５６、ガイド５８、サーマルヘッド６６を冷却する冷却ファン７６（図１参照）およびガイド６２を有する。
【００３３】
図２に示すサーマルヘッド６６は、例えば、最大Ｂ４サイズまでの感熱記録が可能な、約３００ｄｐｉの記録（画素）密度の感熱記録を行うものであって、感熱材料Ａへの感熱記録を行う発熱素子となる発熱抵抗体が多数一方向（図１および図２中紙面と垂直な長手方向）に配列されるグレーズ６６ａが形成されたアルミナセラミックス等の耐熱性に優れた電気絶縁材料からなるセラミック基板６６ｂと、セラミック基板６６ｂの、グレーズ６６ａと逆側の面に積層されているアルミニウム等の金属製板からなるベース６６ｄと、このベース６６ｄの他方の面に固定され、多数の放熱フィン（図示せず）を持つアルミニウム等の金属製のヒートシンク６６ｃとを有する。サーマルヘッド６６は、支点６８ａを中心に矢印ａ方向および逆方向に回動自在な支持部材６８に支持されている。
【００３４】
プラテンローラ６０は、感熱材料Ａを所定位置に保持しつつ回転し、主走査方向と直交する方向（搬送方向Ｄ）に感熱材料Ａを搬送する。ここで、この搬送速度は、速度決定手段１０２によって決定される。また、プラテンローラ６０の駆動は、プラテンローラ制御手段１０４によって制御される。
クリーニングローラ対５６は、弾性体である粘着ゴムローラ５６ａと、通常のローラ５６ｂとからなるローラ対であり、粘着ゴムローラ５６ａが感熱材料Ａの感熱記録層に付着したゴミ等を除去して、グレーズ６６ａへのゴミの付着、およびゴミが画像記録に悪影響を与えることを防止する。
【００３５】
排出部２２は、ガイド６２と、搬送ローラ対６３と、トレイ７２と、ハウジングに形成された排出口７４とを備え、感熱記録が終了した感熱材料Ａを、搬送ローラ６２がガイド６２に沿ってトレイ７２まで搬送して、排出口７４を経て記録装置１０から排出される。
【００３６】
次に、図１に示す記録装置１０の制御系について説明する。上述のように、記録装置１０は、制御系として、記録速度制御部９２と、プラテンローラ制御部９４と、全体制御部９６とを備える。
【００３７】
画像処理部９０は、記録する画像の画像データが入力されて、鮮鋭度補正処理（シャープネス強調処理）、階調補正、温度補正、シェーディング補正、黒比率補正等の所定の画像処理を施し、さらに、必要に応じてフォーマット（拡大・縮小、コマ割り当て）等を行って出力用（感熱材料Ａへの描画用）画像データするものである。この出力用画像データを駆動信号に変換して記録速度制御部９２に出力するものである。記録速度制御部９２により、サーマルヘッド６６（セラミック基板６６ｂ）が駆動される。また、画像処理部９０の生成した出力用画像データをプラテンローラ制御部９４にも出力する。
【００３８】
記録速度制御部９２は、画像処理部９０から送信された出力用画像データから画像の濃度を算出して、今回の記録ラインの濃度と、次の記録ラインの濃度とを比較し、搬送速度の変動を予測する。そして、搬送速度と記録速度とが一致しない記録ライン（以下、不一致記録ラインという）を抽出し、この不一致記録ラインについて、適正な画像となるように記録速度を調整するものである。本実施例においては、記録周波数を変えることにより記録速度を調整する。
【００３９】
本実施例においては、搬送方向Ｄにおいて隣り合う、少なくとも２ラインの濃度の差が、所定の値の差よりも大きい場合、搬送長さと記録長さとの不一致の発生を抑制する記録周波数が、濃度差、各ラインの濃度の値毎に、予め、実験またはシミュレーション等により作成されており、この各記録周波数が記憶された記憶部（図示せず）が記録速度制御部９２に設けられている。この場合、濃度、および各ラインの濃度をパラメータとして、最適な記録周波数を算出する演算式を用いてもよい。
【００４０】
プラテンローラ制御部９４は、出力用画像データから、次に行う感熱記録（今回入力された出力用画像データによる画像記録）における、プラテンローラ６０の搬送速度を決定し、プラテンローラ６０の回転速度を設定して、プラテンローラ６０の回転動力源であるモータ（図示省略）を、設定された搬送速度で感熱材料Ａが搬送されるように、この回転速度で駆動させるものである。なお、プラテンローラ６０の回転速度（すなわち感熱材料Ａの搬送速度）の設定（調整）は、モータの駆動パルスの設定またはロック周波数の設定することによりなされる。
【００４１】
全体制御部９６は、記録装置１０を構成する装填部１４、供給搬送部１６、サーマルヘッド６６によって感熱材料Ａに感熱記録を行う記録部２０、排出部２２および画像処理部９０、ならびに制御系の記録速度制御部９２、プラテンローラ制御部９４および全体制御部９６に接続されており、これらの動作状況などを把握し、これらの動作タイミングなど、動作全般を制御するものである。
全体制御部９６は、記録速度制御部９２による画像記録の開始時期と、プラテンローラ制御部９４による感熱材料Ａの搬送開始時期とを同期させるものである。
【００４２】
前述のように、感熱材料Ａの表面をサーマルヘッド６６で押圧して加熱する感熱記録を行うと、加熱された感熱材料Ａの表面が溶融する。また、感熱材料Ａ表面の溶融の程度（溶融量）は、感熱記録時に感熱材料Ａが有する熱量に応じて変動する。
本実施形態の記録装置１０は、上述したような感熱材料Ａの搬送量変動により生じる搬送速度の変動を考慮して、搬送速度と、記録速度との不一致を調整することにより、正確な感熱記録画像を安定して得るものである。このため、出力用画像データについて、濃度解を行い、少なくとも２つの画像記録ラインについて濃度差を比較し、濃度差が所定の値よりも大きく、搬送速度が変動することが予測される記録ラインに対して、その画素を記録する際の記録速度を、例えば、記録周波数（記録タイミング）を調整して、感熱記録を行う。
【００４３】
感熱記録においては、高濃度の画像を記録するほど、多くの熱量が必要である。従って、記録濃度が高いほど感熱材料Ａが受ける熱量が多くなり、その結果、溶融量が多くなり、すなわち、搬送時の滑り量が多くなり、搬送長が長くなり、記録長が長くなる。逆に、画像濃度が低ければ、記録に要する熱量は少なくてよく、すなわち、高濃度記録とは逆に、記録長は短くなる。
このため、記録する画像の濃度に応じて、記録周波数（記録タイミング）を調整することにより、搬送速度と、記録速度との不一致による濃度ムラなどの影響を抑制することができる。
本実施例においては、記録画像、すなわち、出力用画像データの濃度を解析し、記録画素の濃度を知見し、記録速度調整用のパラメータの１つとして用いる。
【００４４】
本実施例においては、記録速度制御部９２は、画像処理部９０から送信された出力用画像データから画像の濃度を算出し、今回の記録ライン（第１の記録ライン）の濃度と、次の記録ライン（第２の記録ライン）の濃度とを比較し、搬送速度の変動を予測する。今回の記録ラインの濃度が高く、次の記録ラインの濃度が低い場合には、上述のように、今回の記録ラインにおける搬送長さが伸び、このまま次の記録ラインを、出力用画像データの値に基づく所定の記録速度（記録タイミング）で記録した場合、今回と次のラインとで記録領域が重なり、濃度が高い領域が生じる。このような不一致記録ラインについて、出力用画像データの値に基づく所定の記録速度（記録タイミング）よりも記録速度を遅くする。すなわち、記録タイミングを遅らせる。この記録タイミングは、例えば、記録周波数を下げることによりなされる。この場合、記録周波数を下げる量は、上述の記憶部を参照して得られるものである。
【００４５】
一方、今回の記録ラインの濃度が低く、次の記録ラインの濃度が高い場合には、上述のように、今回の記録ラインにおける搬送長さが縮み、このまま次の記録ラインを、出力用画像データの値に基づく所定の記録速度（記録タイミング）で記録した場合、今回と次のラインとの間に記録されない領域が生じ、濃度が低い領域が生じる。このような不一致記録ラインについて、出力用画像データの値に基づく所定の記録速度（記録タイミング）よりも記録速度を速くする。すなわち、記録タイミングを進ませる。この記録タイミングは、例えば、記録周波数を上げることによりなされる。この場合、記録周波数を上げる量は、上述の記憶部を参照して得られるものである。
【００４６】
本発明においては、記録タイミングの遅速、すなわち、記録周波数の設定は、今回の記録ラインと、次の記録ラインとの濃度の差の程度、および今回の記録ラインの濃度と次の記録ラインの濃度とにより、複数段階で調整してよいことはもちろんのこと、今回の記録ラインと、次の記録ラインとの濃度の差に基づいた記録タイミングの遅速の計算式を設定しておき、この計算式により、記録タイミングの遅速の値、すなわち、記録周波数の値を求めてもよい。
【００４７】
なお、本発明においては、出力用画像データから画像の濃度を算出した結果、記録タイミングの遅速が不要である場合には、記録タイミングについては、予め搬送速度に応じて設定された記録周波数（記録タイミング）で記録されることはいうまでもない。
また、プラテンローラ６０の回転速度は、設定された一定の搬送速度となるように、プラテンローラ６０の駆動源であるモータにより駆動されている。
【００４８】
また、本実施例においては、記録周波数（記録タイミング）の遅速に、感熱材料Ａの種類を考慮して決定してもよい。感熱材料Ａの種類によっては、加熱による溶融の程度が異なり、また、厚さも異なるので、搬送速度が同等でも、溶融の変動に起因する記録長の変動量が異なる場合もあるためである。このように、記録タイミングの遅速に感光材料Ａの種類を考慮することにより、より安定して搬送量と記録長さとの差異を小さくでき、正確な記録長で記録することができる。
【００４９】
以下、記録装置１０の作用について詳細に説明する。
記録装置１０において、画像データが入力された画像処理部９０は、画像データに各種処理を施して出力用画像データを作成し、この出力用画像データを記録速度制御部９２およびプラテンローラ制御部９４に出力する。
記録速度制御部９２は、出力用画像データからこの画像の濃度を算出し、各記録ラインの濃度と、その次に記録される次の記録ラインの濃度とを比較し、濃度が大きく、記録速度の調整が必要な記録ラインについて、記録タイミングの遅速をライン毎に求める。
一方、プラテンローラ制御部９４は、出力用画像データから搬送速度を設定し、設定された搬送速度で搬送されるように、モータの回転速度を制御する。
【００５０】
次に、記録開始の指示が出されると、記録タイミングの遅速（記録周波数の値）の算出工程と並行して、開閉機構（図示せず）によって蓋体２６を開放させ、吸盤４０を用いた枚葉機構がマガジン２４から感熱材料Ａを一枚取り出し、感熱材料Ａの先端を搬送手段４２（搬送ローラ４６とニップローラ５０）に供給する。搬送ローラ４６とニップローラ５０とによって感熱材料Ａが挟持された時点で、吸盤４０による吸引は開放され、供給された感熱材料Ａは、搬送ガイド４４によって案内されつつ搬送手段４２によって規制ローラ対５２に搬送される。
なお、記録に供される感熱材料Ａがマガジン２４から完全に排出された時点で、開閉手段によって蓋体２６が閉塞される。
【００５１】
搬送手段４２による搬送で感熱材料Ａの先端が規制ローラ対５２に至るが、規制ローラ対５２は最初は停止しており、感熱材料Ａの先端はここで一旦停止して位置決めされる。
この感熱材料Ａの先端が規制ローラ対５２に至った時点で、サーマルヘッド６６（グレーズ６６ａ）の温度が確認され、サーマルヘッド６６の温度が所定温度であれば、プラテンローラ制御部９４は、搬送速度に応じてプラテンローラ６０の回転速度を設定し、プラテンローラ６０の回転動力源であるモータ（図示省略）をこの回転速度で駆動させる。
【００５２】
規制ローラ対５２による感熱材料Ａの搬送が開始され、感熱材料Ａは、記録部２０に搬送される。図示例の記録装置１０において、感熱材料Ａが搬送される前は、支持部材６８は上方（矢印ａ方向と逆の方向）に回動しており、サーマルヘッド６６（グレーズ６６ａ）とプラテンローラ６０とは接触していない。
【００５３】
前述の規制ローラ対５２による搬送が開始されると、感熱材料Ａは、次いでクリーニングローラ対５６に挟持され、さらに、ガイド５８によって案内されつつ搬送される。感熱材料Ａの先端が記録開始位置（グレーズ６６ａに対応する位置）に搬送されると、支持部材６８が矢印ａ方向に回動して、感熱材料Ａがサーマルヘッド６６のグレーズ６６ａとプラテンローラ６０とで挟持されて、記録層にグレーズ６６ａが押圧された状態となり、感熱材料Ａはプラテンローラ６０によって所定位置に保持されつつ、プラテンローラ６０（および規制ローラ対５２と搬送ローラ対６３）によって搬送方向Ｄに搬送される。
この搬送に伴い、記録画像データに応じてグレーズ６６ａの各発熱抵抗素子を加熱することにより、感熱材料Ａに感熱記録が行われる。
【００５４】
このとき、記録速度制御部９２においては、出力用画像データについて濃度解析が行われる。この濃度解析により、少なくとも２ラインについて濃度を比較し、濃度差が所定の値よりも大きく、搬送速度と記録速度との不一致が生じ、濃度ムラが生じ、画像が正確に記録できないことが予測される不一致記録ラインを抽出する。この不一致記録ラインについては、２ラインの濃度の大小関係に基づいて記録周波数が変更され、記録タイミング（記録速度）が適切に調整されて、搬送速度と記録速度との一致が図られる。このため、正確な画像記録がなされる。これにより、安定して、濃度ムラの発生が抑制された高品質の画像を得ることができる。
【００５５】
次に、感熱記録が終了した感熱材料Ａは、ガイド６２に案内されつつ、プラテンローラ６０および搬送ローラ対６３に搬送されて排出部２２のトレイ７２に排出される。トレイ７２は、ハウジング２８に形成された排出口７４を経て記録装置１０の外部に突出しており、画像が記録された感熱材料Ａは、この排出口７４を経て外部に排出され、取り出される。
【００５６】
上述のように、本発明の感熱記録装置によれば、画像記録時における感熱材料の搬送長の変動を考慮して、不一致記録ラインを抽出し、不一致記録ラインについて、画像記録のタイミングを、記録周波数を調整することにより、搬送速度と記録速度とを一致させて感熱記録を行うことができ、搬送量と記録長さとの差異を小さくすることができる。これにより、記録する画像の濃度分布などにより生じる画像記録時の感熱材料表面の溶融の変動等に起因して発生する感熱材料の搬送量の変動による影響を抑制することができ、記録画像に対して濃度ムラの影響を抑制することができる。特に、記録する画像の濃度変動が大きい場合においても濃度ムラの発生を十分に抑制し、高画質な画像を記録することができる。
【００５７】
本実施例においては、記録速度制御部９２により、出力用画像データについて濃度解析を行い、不一致記録ラインを抽出し、この不一致記録ラインについて記録タイミングの遅速（記録周波数の値）を調整することにより、搬送速度と記録速度との一致を図ったが、本発明は、これに限定されるものではない。
例えば、記録速度制御部９２として、濃度差に応じて、記録する画素の濃度を調整するようにしてもよい。パルス幅により、画素濃度を調整するパルス幅変調の場合には、調整される画素の濃度と濃度差とにより増減させる濃度に応じて、記録する画素の出力用画像データにおける濃度を得るに必要なパルス幅を増減させる機能を有するものを用いる。
【００５８】
この場合においても、少なくとも２ラインの濃度の差が、所定の差よりも大きい場合、搬送長さと記録長さとの不一致の発生を抑制するパルス幅が、予め、実験またはシミュレーション等により作成されており、濃度差、各ラインの濃度の値毎に記憶された記憶部（図示せず）が記録速度制御部９２に設けられている。
また、濃度、および各ラインの濃度をパラメータとして、最適なパルス幅を算出する演算式を用いてもよい。さらには、パルス幅の増減に、感熱材料Ａの種類を考慮して決定してもよい。感熱材料Ａの種類によっては、加熱による溶融の程度が異なり、また、厚さも異なるので、搬送速度が同等でも、溶融の変動に起因する記録長の変動量が異なる場合もあるためである。このように、パルス幅の増減に、感光材料Ａの種類を考慮することにより、より安定して搬送量と記録長さとの差異を小さくでき、正確な記録長で記録することができる。
【００５９】
また、記録速度制御部９２は、画像処理部９０から送信された出力用画像データから画像の濃度を算出し、今回の記録ラインの濃度と、次の記録ラインの濃度とを比較し、搬送速度の変動を予測する。今回の記録ラインの濃度が高く、次の記録ラインの濃度が低い場合には、上述のように、今回の記録ラインにおける搬送長さが伸び、このまま次の記録ラインを、通常の記録タイミングで記録した場合、今回と次のラインとで記録領域が重なり、濃度が高い領域が生じるため、次のラインに記録する画像の画像濃度を画像データよりも低くする。すなわち、パルス幅を狭くする。この場合、パルス幅を狭くする量は、上述の記憶部を参照して、得られるものである。
【００６０】
一方、今回の記録ラインの濃度が低く、次の記録ラインの濃度が高い場合には、上述のように、今回の記録ラインにおける搬送長さが縮み、このまま次の記録ラインを、通常の記録タイミングで記録した場合、今回と次のラインとの間に記録されない領域が生じ、濃度が低い領域が生じるため、次のラインに記録する画像の画像濃度を画像データよりも高くする。すなわち、パルス幅を広くする。この場合、パルス幅を広くする量は、上述の記憶部を参照して、得られるものである。
【００６１】
本発明においては、パルス幅の増減は、今回の記録ラインと、次の記録ラインとの濃度の差の程度、および今回の記録ラインの濃度と次の記録ラインの濃度とにより、パルス幅の増減量の間隔を複数段階としてよいことはもちろんのこと、今回の記録ラインと、次の記録ラインとの濃度の差に基づいたパルス幅の増減の計算式を設定しておき、この計算式により、パルス幅の増減量を求めてもよい。
なお、本発明においては、出力用画像データから画像の濃度を算出した結果、記録タイミングの遅速が不要である場合には、記録タイミングについては、予め搬送速度に応じて設定された記録タイミングで記録されることはいうまでもない。
また、プラテンローラ６０の回転速度は、設定された一定の速度となるように、プラテンローラ６０の駆動源であるモータにより駆動されている。
【００６２】
本発明においては、記録速度制御部９２において、記録する画像の画像濃度を解析し、濃度の差が大きく、濃度ムラが発生する不一致記録ラインにおいて、パルス幅を記録する画像における画像濃度よりも増加または減少させることにより、記録する画素の濃度を変えて、記録画像に生じる濃度ムラを抑制することができる。パルス幅を調整する場合においても、記録タイミングを調整した場合と同様の効果を得ることができる。
また、パルス幅を増減させる場合には、記録速度（記録タイミング）は、プラテンローラの搬送速度に対応した一定の速度でよく、記録速度（記録タイミング）の調整が不要となる。
【００６３】
なお、本発明においては、記録タイミングの調整と、パルス幅の調整とを組み合わせてもよく、本発明の効果を得ることができる。この場合、記録速度制御部９２に、上述の記録周波数と、パルス幅とを記憶部に記憶させておく。
なお、記録タイミングの調整と、パルス幅の調整とは、同時に行ってもよく、また、濃度差の大小に応じて、記録タイミングの調整と、パルス幅の調整とを適宜使い分けるようにしてもよい。このとき、予め、より濃度ムラが生じることがない、記録タイミングの調整と、パルス幅の調整との制御の組み合わせなどを実験またはシミュレーションにより決定しておき、この決定結果を記録速度制御部９２の記憶部に記憶させておく。
【００６４】
本発明は基本的に上述したようなものであるが、上記実施形態に限定されるものでなく、本発明の要旨を逸脱しない範囲において、各種の改良および変更を行ってもよいのはもちろんである。
【図面の簡単な説明】
【００６５】
【図１】本発明の感熱記録装置の一実施形態を示す模式的断面図である。
【図２】本発明の感熱記録装置の記録部を示す模式図である。
【図３】感熱材料に記録されるパターン画像を示す模式図である。
【図４】（ａ）は、縦軸に画像濃度をとり、横軸に画像位置をとって、図３に示すＸ１−Ｘ１線における画像濃度分布を示すグラフであり、（ｂ）は、縦軸に画像濃度をとり、横軸に画像位置をとって、図３に示すＸ２−Ｘ２線における画像濃度分布を示すグラフである。
【符号の説明】
【００６６】
１０  感熱画像記録装置（記録装置）
１４  装填部
１６  供給搬送手段
２０  記録部
２２  排出部
２４  マガジン
２６  蓋体
２８  ハウジング
３０  挿入口
３２  案内板
３４  案内ロール
３６  停止部材
４０  吸盤
４２  搬送手段
４４  搬送ガイド
４８  エンドレスベルト
５０  ニップローラ
５２  規制ローラ対
５６  クリーニングローラ対
５８，６２  ガイド
６０  プラテンローラ
６３  搬送ローラ対
６６  サーマルヘッド
６６ａ  グレーズ
６６ｂ  セラミック基板
６６ｃ  ヒートシンク
６６ｄ  ベース
６８  支持部材
７２  トレイ
７４  排出口
７６  冷却ファン
９０  画像処理部
９２  記録速度制御部
９４  プラテンローラ制御部
９６  全体制御部
【図１】
2007152709.tif 000003
【図２】
2007152709.tif 000004
【図３】
2007152709.tif 000005
【図４】
2007152709.tif 000006